(57)【要約】  【課題】履物の靴底部に、高い断熱性を確保し、かつ同時に充分な屈曲性と屈曲耐久性を兼ね備えた真空断熱材を適用することで、保温性が良く、履き心地の良い履物を提供する。  【解決手段】靴底部に適用する真空断熱材３１には、靴底部の屈曲に追従するように、靴底部の屈曲部とその周辺部との該当するいずれかの箇所に、溝状の凹部を縦横に複数本設けて、複数本の溝状の凹部により真空断熱材３１の屈曲部３５を形成している。また、芯材周囲の外被材同士が大気圧で密着する部分が芯材の周縁に沿うように熱溶着されており、芯材周囲の外被材同士が大気圧で密着する部分の殆ど全てを、外被材同士が熱溶着された熱溶着部３３とすることができるので、外被材の間に芯材の無い非芯材部３４を小さくできる。【選択図】図３
2008228864.tif 000002
【特許請求の範囲】
【請求項１】
芯材をガスバリア性の外被材で覆って前記外被材の内部を減圧して密封した真空断熱材を、少なくとも靴底部のいずれかの箇所に適用した履物であって、
前記真空断熱材は、靴底部の屈曲に追従するように、靴底部の屈曲部とその周辺部との該当するいずれかの箇所に、溝状の凹部を縦横に複数本設けている履物。
【請求項２】
履物のつま先から踵方向に設けられた真空断熱材の溝が、少なくとも履物の幅方向の両端近辺に設けられた請求項１に記載の履物。
【請求項３】
溝状の凹部の少なくとも一部が芯材を有せず形成された目地部である請求項１または２に記載の履物。
【請求項４】
履物のつま先から踵方向に芯材を有しない目地部を設け、履物の幅方向に溝状の凹部を設けた請求項３に記載の履物。
【請求項５】
少なくとも目地部が、履物の幅方向の両端近辺に設けられた請求項４に記載の履物。
【請求項６】
真空断熱材における履物の幅方向の両端の厚みが中央部より薄く形成した請求項１から５のいずれか一項に記載の履物。
【請求項７】
真空断熱材における溝もしくは目地部の近辺の厚みを、前記溝と前記目地部以外の箇所よりも薄く形成した請求項１から６のいずれか一項に記載の履物。
【請求項８】
芯材をガスバリア性の外被材で覆って前記外被材の内部を減圧して密封した真空断熱材を、少なくとも靴底部のいずれかの箇所に適用した履物であって、
前記真空断熱材が歩行時の靴底部の幅方向の屈曲に追従しないように、前記真空断熱材の下面側に平板を設置した履物。
【請求項９】
芯材をガスバリア性の外被材で覆って前記外被材の内部を減圧して密封した真空断熱材を、靴底部の幅方向の中央に配設し、前記真空断熱材の幅方向の両端部に中敷部材を配設した履物。
【請求項１０】
靴底部の幅方向の中央に真空断熱材を配設し、前記真空断熱材の幅方向の両端部に中敷部材を配設した請求項１から８のいずれか一項に記載の履物。
【請求項１１】
真空断熱材は、芯材の伝熱面と外被材との接触部分の少なくとも一部が熱溶着され、かつ前記芯材周囲の前記外被材同士が大気圧で密着する部分が前記芯材の周縁に沿うように熱溶着されている請求項１から１０のいずれか一項に記載の履物。
【請求項１２】
真空断熱材は、靴底部に対して着脱可能な中敷きを構成する部材として用いられており、前記真空断熱材の芯材が略足型形状であり、かつ前記芯材周囲に位置し外被材の間に前記芯材がなく前記外被材同士が熱溶着された非芯材部が略足型形状である請求項１から８と請求項１１のいずれか一項に記載の履物。
【請求項１３】
真空断熱材における外被材の間に芯材がある芯材部が厚み１ｍｍ以上５ｍｍ以下である請求項１から８と請求項１１と請求項１２のいずれか一項に記載の履物。
【発明の詳細な説明】
【技術分野】
【０００１】
本発明は、断熱性を高めるため真空断熱材を適用した履物に関するものである。
【背景技術】
【０００２】
寒冷地や低温作業時に使用される履物は、温かく、断熱性能の高いものが望まれている。これを実現するため、履物の靴底部に断熱材や、内装素材に空気層を保持できる長い毛足の生地が適用される。
【０００３】
一方、断熱材として、限られたスペースの中で高い断熱性能を確保するため、真空断熱材を適用することがある。
【０００４】
しかし、真空断熱材は、その真空度を保持するため伸縮性のないガスバリア性フィルムで真空包装しているため、柔軟性に乏しく、かつ可撓性を有していない。そこで、真空断熱材に可撓性を付与する方法として、真空断熱材において、複数の芯材を真空密封して構成することにより可撓性を付与したものがある（例えば、特許文献１参照）。
【０００５】
図１３は、従来の靴に適用した真空断熱材の平面図である。図１３に示すように、真空断熱材１はプラスチックフィルムとアルミ箔とをラミネートしたフィルムからなるガスバリア性を有する外被材２の内部にそれぞれ芯材３ａ，３ｂを厚み方向に対して垂直な方向に所定間隔離して配置させ、内部を減圧して密封したものである。また芯材３ａと芯材３ｂの間の外被材２同士が熱溶着された部分４は真空断熱材１を横切る直線となっており、そこを折り曲げ線として曲げることができる。
【特許文献１】特開２００５−１３７５５７号公報
【発明の開示】
【発明が解決しようとする課題】
【０００６】
上記従来の構成では、真空断熱材１は、芯材３ａと芯材３ｂの間の外被材２同士が熱溶着された部分４を折り曲げ線として折り曲げが可能となるが、芯材３ａと芯材３ｂの間の外被材２同士が熱溶着された部分４には芯材が存在しないことから断熱性を有しておらず、芯材３ａと芯材３ｂの間の外被材２同士が熱溶着された部分４からの熱リークが大きい。また、芯材３ａと芯材３ｂの間の外被材２同士が熱溶着された部分４が存在する分だけ有効断熱面積が小さくなり、充分な断熱性能が得られないという課題があった。
【０００７】
また、複数の芯材３ａ，３ｂを配置することが必要であり、複数の芯材３ａ，３ｂの配置、及び配置時の位置決めに多くの工数を必要とすることから製造原価が増大するという問題があった。
【０００８】
本発明は、履物の靴底部に、高い断熱性を確保し、かつ同時に充分な屈曲性と屈曲耐久性を兼ね備えた真空断熱材を適用することで、保温性が良く、履き心地の良い履物を提供することを目的とする。
【課題を解決するための手段】
【０００９】
上記目的を達成するために、本発明の履物は、靴底部の屈曲に追従するように靴底部の屈曲部とその周辺部との該当するいずれかの箇所に溝状の凹部を縦横に複数本設けた真空断熱材を、靴底部に適用したのである。
【００１０】
本発明において靴底部に適用する真空断熱材は、有効断熱面積が従来のものに較べて大きいので高い断熱性を確保でき、かつ同時に充分な屈曲性と屈曲耐久性を兼ね備えているので、保温性が良く、履き心地の良い履物を提供することができる。
【発明の効果】
【００１１】
本発明において靴底部に適用する真空断熱材は、有効断熱面積が従来のものに較べて大きいので高い断熱性を確保でき、かつ同時に充分な屈曲性と屈曲耐久性を兼ね備えているので、保温性が良く、履き心地の良い履物を提供することができる。
【発明を実施するための最良の形態】
【００１２】
本発明の請求項１に記載の履物の発明は、芯材をガスバリア性の外被材で覆って前記外被材の内部を減圧して密封した真空断熱材を、少なくとも靴底部のいずれかの箇所に適用した履物であって、前記真空断熱材には、靴底部の屈曲に追従するように、靴底部の屈曲部とその周辺部との該当するいずれかの箇所に、溝状の凹部を縦横に複数本設けているのである。
【００１３】
履物の靴底部は、体重による加重や歩行により縦横に屈曲することから靴底部に配置した真空断熱材も追従して屈曲することが必要になる。そこで、履物の靴底部に配置する真空断熱材は、靴底部の屈曲部とその周辺部とに該当するいずれかの部位に溝状の凹部を縦横に複数本設けている。
【００１４】
これにより、履物の靴底部が屈曲と復元を繰り返した場合にも真空断熱材は靴底部と同様に追従して屈曲と復元を繰り返すことができ、履き心地に優れた履物が提供できる。また、外被材にかかる負荷が軽減され、真空断熱材の断熱性能劣化が低減できるので、長期間において保温性を維持した履物を提供できる。
【００１５】
更に、溝状の凹部には、断熱性能を有する芯材が存在しているため、断熱性能を損なうこともない。よって、有効断熱面積が大きくなるので履物の断熱効果が向上し、保温性が向上する。
【００１６】
また、請求項２に記載の履物の発明は、請求項１に記載の発明において、履物のつま先から踵方向に設けられた真空断熱材の溝が、少なくとも履物の幅方向の両端近辺に設けられたものである。
【００１７】
靴底部は、体重による加重によって履物の幅方向にも湾曲が発生する。加重が履物の幅方向の中心にかかるため、両端部分とに加重差が発生し、湾曲が特に両端近辺に発生する。
【００１８】
そこで靴底部の湾曲に真空断熱材を追従させるため、履物の幅方向の両端近辺につま先から踵方向に溝を設けた。これにより、更に外被材にかかる負荷が軽減され、真空断熱材の断熱性能劣化が低減できるので、長期間において保温性を維持した履物を提供できる。
【００１９】
また、請求項３に記載の履物の発明は、請求項１または２に記載の発明において、溝状の凹部の少なくとも一部が芯材を有せず形成された目地部であるものである。
【００２０】
靴底部は、加重や歩行により幅方向だけでなく長さ方向にも湾曲が発生する。また、歩行により長さ方向に屈曲が発生する。これに追従するように真空断熱材も湾曲や屈曲が発生する。このため、外被材が３次元形状に折れ曲がるので負荷が１点に集中し外被材が劣化し易くなる。
【００２１】
そこで、真空断熱材に溝状の凹部の少なくとも一部が芯材を有せず形成した目地部を設けている。これにより、芯材のない箇所で屈曲することにより、外被材にかかる負荷が軽減され、真空断熱材の断熱性能劣化が低減できるので、長期間において保温性を維持した履物を提供できる。
【００２２】
また、請求項４に記載の履物の発明は、請求項３に記載の発明において、履物のつま先から踵方向に芯材を有しない目地部を設け、履物の幅方向に溝状の凹部を設けたものである。
【００２３】
靴底部は、加重や歩行により幅方向だけでなく長さ方向にも湾曲が発生する。また、歩行により長さ方向に屈曲が発生する。これに追従するように真空断熱材も湾曲や屈曲が発生する。このため、外被材が３次元形状に折れ曲がるので負荷が１点に集中し外被材が劣化し易くなる。また、湾曲は特に幅方向に発生する。
【００２４】
そのため、湾曲が発生し易い履物のつま先から踵方向に芯材を有しない目地部を設けた。これにより、外被材にかかる負荷が芯材のない箇所で集中することにより、外被材の劣化が軽減され、真空断熱材の断熱性能劣化が低減できるので、長期間において保温性を維持した履物を提供できる。
【００２５】
また、請求項５に記載の履物の発明は、請求項４に記載の発明において、少なくとも目地部が、履物の幅方向の両端近辺に設けられたものである。
【００２６】
底部の湾曲が発生し易い箇所である履物の幅方向の両端近辺につま先から踵方向に溝を設けた。これにより、外被材にかかる負荷が芯材のない箇所で更に集中することにより、外被材の劣化が軽減され、真空断熱材の断熱性能劣化が低減できるので、長期間において保温性を維持した履物を提供できる。また、靴底部の中心部分に有効断熱部があるので、保温性を維持できる。
【００２７】
また、請求項６に記載の履物の発明は、請求項１から５のいずれか一項に記載の発明において、真空断熱材における履物の幅方向の両端の厚みが中央部より薄く形成したものである。
【００２８】
靴底部の湾曲が発生し易い箇所である履物の幅方向の両端近辺の厚みを薄く形成した。これにより、厚みが薄いことで湾曲により外被材にかかる負荷が軽減され、外被材の劣化が軽減される。よって真空断熱材の断熱性能劣化が低減できるので、長期間において保温性を維持した履物を提供できる。
【００２９】
また、請求項７に記載の履物の発明は、請求項１から６のいずれか一項に記載の発明において、真空断熱材における溝もしくは目地部の近辺の厚みを、前記溝と前記目地部以外の箇所よりも薄く形成したものである。
【００３０】
屈曲部となる溝や目地部の近辺の厚みが薄くなっているので、真空断熱材が屈曲した際の外被材の損傷を低減することができる。これにより、よって真空断熱材の断熱性能劣化が低減できるので、長期間において保温性を維持した履物を提供できる。
【００３１】
また、請求項８に記載の履物の発明は、芯材をガスバリア性の外被材で覆って前記外被材の内部を減圧して密封した真空断熱材を、少なくとも靴底部のいずれかの箇所に適用した履物であって、前記真空断熱材が歩行時の靴底部の幅方向の屈曲に追従しないように、前記真空断熱材の下面側に平板を設置したものである。
【００３２】
靴底部は、加重や歩行により幅方向だけでなく長さ方向にも湾曲が発生する。また、歩行により長さ方向に屈曲が発生する。これに追従するように真空断熱材も湾曲や屈曲が発生する。このため、外被材が３次元形状に折れ曲がるので負荷が１点に集中し外被材が劣化し易くなる。
【００３３】
そのため、真空断熱材の下面に平板を設置した。これにより、靴底部に追従して真空断熱材が湾曲するのを低減でき、外被材の劣化が軽減される。よって、真空断熱材の断熱性能劣化が低減できるので、長期間において保温性を維持した履物を提供できる。
【００３４】
また、請求項９に記載の履物の発明は、芯材をガスバリア性の外被材で覆って前記外被材の内部を減圧して密封した真空断熱材を、靴底部の幅方向の中央に配設し、前記真空断熱材の幅方向の両端部に中敷部材を配設したものである。
【００３５】
靴底部の湾曲が発生し易い箇所である履物の幅方向の両端近辺に真空断熱材を配置せず、中敷部材を配置した。これにより、真空断熱材の外被材にかかる湾曲による負荷が軽減され、真空断熱材の断熱性能劣化が低減できるので、長期間において保温性を維持した履物を提供できる。また、足裏の中心部分に真空断熱材を配置しているので、保温性の高い履物を提供できる。
【００３６】
また、請求項１０に記載の履物の発明は、請求項１から８のいずれか一項に記載の発明において、靴底部の幅方向の中央に真空断熱材を配設し、前記真空断熱材の幅方向の両端部に中敷部材を配設したものである。
【００３７】
本発明では、真空断熱材に溝や目地部が設けられているので真空断熱材が靴底に追従し易くなり、真空断熱材の外被材にかかる湾曲による負荷が軽減され、真空断熱材の断熱性能劣化が低減できるので、長期間において保温性を維持した履物を提供できる。また、足裏の中心部分に真空断熱材を配置しているので、保温性の高い履物を提供できる。
【００３８】
また、請求項１１に記載の履物の発明は、請求項１から１０のいずれか一項に記載の発明における真空断熱材が、芯材の伝熱面と外被材との接触部分の少なくとも一部が熱溶着され、かつ前記芯材周囲の前記外被材同士が大気圧で密着する部分が前記芯材の周縁に沿うように熱溶着されているものである。
【００３９】
本発明では、芯材周囲の外被材同士が大気圧で密着する部分の殆ど全てを、外被材同士が熱溶着された熱溶着部とすることができるので、外被材の間に芯材の無い非芯材部を小さくでき有効断熱面積が大きくなる。よって、略足型形状、及び履物の靴底部形状に合うように成形しつつも、断熱性能を高められる。よって、従来中敷きと寸法や外観が大幅に変わることがなく、靴の形状や靴の種類等に左右されることなく使用することができる。また、屈曲性と屈曲耐久性に優れていることから、履き心地や経済性にも優れた中敷きを提供できる。
【００４０】
また、請求項１２に記載の履物の発明は、請求項１から８と請求項１１のいずれか一項に記載の発明において、真空断熱材は、靴底部に対して着脱可能な中敷きを構成する部材として用いられており、前記真空断熱材の芯材が略足型形状であり、かつ前記芯材周囲に位置し外被材の間に前記芯材がなく前記外被材同士が熱溶着された非芯材部が略足型形状であるものである。
【００４１】
真空断熱材を履物の底部に配置して履物と一体化すると、温暖な状況下で履物を使用する場合に不快となる。そこで、真空断熱材に外装材を貼り合わせて履物の中敷きとする。これにより、気候や気温に応じて取り外しや装着が可能となる。
【００４２】
また、請求項１３に記載の履物の発明は、請求項１から８と請求項１１と請求項１２のいずれか一項に記載の発明において、真空断熱材における外被材の間に芯材がある芯材部が厚み１ｍｍ以上５ｍｍ以下であるものである。
【００４３】
本発明で用いる真空断熱材は、断熱性、屈曲性、及び屈曲耐久性に優れており、履物の靴底部断熱材、及び履物の中敷きの断熱材として有効に適用できる。
【００４４】
また、断熱材が１ｍｍ以上５ｍｍ以下と薄いことから、スペース確保の難しい履物、履物の中敷きであっても問題なく使用することができる。
【００４５】
なお、履物とは、短靴、長靴、ブーツ、サンダル、スリッパ、及びスキー靴等のスポーツ用の靴を含め、特に指定するものではない。また、履物の中敷きとは、前記履物の靴底部に装着して利用するものであり、基本的には、装着と取り外しが任意に実施できるものをさす。
【００４６】
また、真空断熱材とは、骨材となる気相比率の高い芯材を、ガスバリア性のフィルムや容器等の外被材で覆い内部を真空密封したものであり、内部を真空状態にすることにより、気体成分の熱伝導を低減させた断熱材をさす。
【００４７】
真空断熱材の構成材料を説明すると、前記芯材に使用する材料は、気相比率９０％前後の多孔体をシート状または板状に加工したものであり、工業的に利用できるものとして、発泡体、粉体、及び繊維体等がある。これらは、その使用用途や必要特性に応じて公知の材料を使用することができる。
【００４８】
このうち、発泡体としては、ウレタンフォーム、スチレンフォーム、フェノールフォーム等の連続気泡体が利用できるが、芯材周囲の外被材同士が大気圧で密着する部分の殆ど全てを、外被材同士が熱溶着された熱溶着部とする真空断熱材には、外被材同士を熱溶着させる工程での熱が加わっても気相比率９０％前後を維持できるように、耐熱性が高いものが好ましい。
【００４９】
粉体としては、無機系、有機系、及びこれらの混合物を利用できるが、工業的には、乾式シリカ、湿式シリカ、パーライト等を主成分とするものがより望ましい。
【００５０】
繊維体としては、無機系、有機系、及びこれらの混合物が利用できるが、コストと断熱性能の観点から、無機繊維が有利である。無機繊維の一例としては、グラスウール、グラスファイバー、アルミナ繊維、シリカアルミナ繊維、シリカ繊維、ロックウール等、公知の材料を使用することができる。
【００５１】
外被材に使用するラミネートフィルムには、金属箔や金属蒸着層を有するラミネートフィルムが適用でき、プラスチックラミネートフィルムを利用するのが、生産性やコストの面でメリットが大きい。
【００５２】
以下、本発明による実施の形態について、図面を参照しながら説明する。なお、この実施の形態によってこの発明が限定されるものではない。
【００５３】
（実施の形態１）
本実施の形態において、履物として短靴を一例として説明する。図１は本発明の実施の形態１における靴の側面図、図２は本発明の実施の形態１における靴の断面図である。図３は本発明の実施の形態１における靴に適用した真空断熱材の平面図（上面図）であり、図４は本発明の実施の形態１における靴に適用した真空断熱材の側面図である。
【００５４】
図１において、靴１１は、足を包む部分の底部１２と甲部１３と前面部１４と後面部１５と側面部１６とが、ゴム製の靴底１７を接合して構成されている。図２に示すように底部１２には、下（靴底側）から保護用プラスチックフィルム２１、真空断熱材３１、生地付きエラストマー２２を積層して構成しているが、真空断熱材３１を適用していること以外は汎用的な靴である。
【００５５】
図３と図４に示す真空断熱材３１の構成は、略足型形状にカットされたグラスウール成形体からなる厚さ４ｍｍの芯材の対向する２つの伝熱面を、それぞれ２枚のガスバリア性のラミネートフィルム（外被材）で覆い、ラミネートフィルム（外被材）の内部を減圧し、２枚のラミネートフィルム（外被材）の間に芯材がある略足型形状の芯材部３２の周囲の２枚のラミネートフィルム（外被材）の間に芯材がない非芯材部３４の大気圧で互いに密着可能な２枚のラミネートフィルム（外被材）同士を熱溶着したものであり、非芯材部３４の殆ど全てに、２枚のラミネートフィルム（外被材）同士を熱溶着した熱溶着部３３が設けられている。熱溶着部３３は、芯材部３２の周囲に沿うように形成しているため、断熱機能を持たない非芯材部３４をより小さくすることができる。
【００５６】
また、２枚のラミネートフィルム（外被材）の間に芯材がある略足型形状の芯材部３２の足裏側面において、足指の付け根付近に相当する部位に屈曲部３５として足指に略垂直な方向（足指の回動軸に略平行な方向）の芯材の一方の端（縁）から他方の端（縁）までの溝状の凹部を１０本設けている。また、つま先から踵方向にも芯材の一方の端（縁）から他方の端（縁）までの溝状の凹部を３本設けている。また、屈曲部３５の近辺の厚みを薄くしており、凹部に向かってなだらかに薄くなるように形成している。
【００５７】
なお、ラミネートフィルムには、最外層から２５μｍのナイロンフィルム、１２μｍのＰＥＴフィルム、６μｍのアルミ箔、３０μｍのポリエチレンを積層したプラスチックラミネートフィルムを使用している。しかし、ラミネートフィルムは、特に、耐屈曲性の優れたものが望ましく、公知の材料が適用できる。
【００５８】
更に、この真空断熱材３１の真空封止方法について詳細に説明する。
【００５９】
まず、芯材形状に追従しやすいように弾性体を表層に貼り合わせた熱板を有する真空チャンバー内において、対向する２枚のガスバリア性ラミネートフィルム（外被材）の間のラミネートフィルム（外被材）と平行な略同一平面上に、複数の芯材を所定間隔離間して配置し、所定圧力迄減圧後、ラミネートフィルム（外被材）間に芯材がある部分を含めて加熱加圧して、対向するラミネートフィルム（外被材）の熱溶着層同士を、間に芯材がある部分（芯材部３２）を除いて、芯材形状（芯材の周縁部）に沿うように熱溶着することで真空断熱材３１を製造するものである。このような真空封止方法で真空断熱材３１を成形すると、芯材の周縁部に添うように大気圧で互いにラミネートフィルム（外被材）同士が密着可能な部分に熱溶着部３３が形成されるため、２枚のラミネートフィルム（外被材）の間に芯材がない非芯材部３４を小さくできる。
【００６０】
その後、熱溶着された非芯材部３４を芯材形状と略相似形に、芯材部３２の周囲に所定幅の熱溶着部３３を確保できるように切断し、引き続き、屈曲部３５として足裏と接する表面（足裏側面）にプレス加工により溝状の凹部を設けて略足型の真空断熱材３１としている。
【００６１】
本実施の形態１における靴１１は、芯材をガスバリア性の外被材（ラミネートフィルム）で覆って外被材の内部を減圧して密封した真空断熱材３１を、少なくとも靴底部のいずれかの箇所に適用した靴１１（履物）であって、真空断熱材３１には、靴底部の屈曲に追従するように、靴底部の屈曲部とその周辺部との該当するいずれかの箇所に、溝状の凹部を縦横に複数本設けて、複数本の溝状の凹部により真空断熱材３１の屈曲部３５を形成している。
【００６２】
また、真空断熱材３１における溝（屈曲部３５）の近辺の厚みを、溝（屈曲部３５）以外の箇所よりも薄く形成している。
【００６３】
以上のような構成により、本実施の形態１における靴１１は、靴底部の殆どを覆う真空断熱材３１の優れた断熱作用により、人体の発する体熱の保温や外気の遮断が効果的に行われ、寒冷な環境下において足部を温かく保つことができる。
【００６４】
履物１１の靴底部は、体重による加重や歩行により縦横に屈曲することから靴底部に配置した真空断熱材３１も追従して屈曲することが必要になる。そこで、履物１１の靴底部に配置する真空断熱材３１は、靴底部の屈曲部とその周辺部とに該当するいずれかの部位に溝状の凹部を縦横に複数本設けている。
【００６５】
これにより、履物の靴底部が屈曲と復元を繰り返した場合にも真空断熱材３１は靴底部と同様に追従して屈曲と復元を繰り返すことができ、履き心地に優れた履物が提供できる。また、外被材にかかる負荷が軽減され、真空断熱材３１の断熱性能劣化が低減できるので、長期間において保温性を維持した履物を提供できる。
【００６６】
更に、溝状の凹部には、断熱性能を有する芯材が存在しているため、断熱性能を損なうこともない。よって、有効断熱面積が大きくなるので履物の断熱効果が向上し、保温性が向上する。
【００６７】
また、溝状の凹部をプレス成形により形成しているため、複数の芯材配置や、芯材配置に関する位置決めなどの必要がなく、工数が大幅に削減できることから、真空断熱材３１を適用した履物１１を安価に提供することができる。
【００６８】
また、屈曲部３５となる溝状の凹部の近辺の厚みが薄くなっているので、真空断熱材３１が屈曲した際のラミネートフィルム（外被材）の損傷を低減することができる。これにより、真空断熱材３１の断熱性能劣化が更に低減できるので、長期間において保温性を維持した履物を提供できる。
【００６９】
また、真空断熱材３１が、芯材の伝熱面と外被材との接触部分の少なくとも一部が熱溶着され、かつ芯材周囲の外被材同士が大気圧で密着する部分が芯材の周縁に沿うように熱溶着されており、芯材周囲の外被材同士が大気圧で密着する部分の殆ど全てを、外被材同士が熱溶着された熱溶着部３３とすることができるので、外被材の間に芯材の無い非芯材部３４を小さくでき有効断熱面積が大きくなる。よって、略足型形状、及び履物の靴底部形状に合うように成形しつつも、断熱性能を高められる。
【００７０】
また、実施の形態で用いた真空断熱材３１は、外被材の間に芯材がある芯材部３２が厚み１ｍｍ以上５ｍｍ以下の範囲に入る４ｍｍであるので、真空断熱材３１は、断熱性、屈曲性、及び屈曲耐久性に優れており、履物の靴底部断熱材の他に、履物の中敷きの断熱材としても有効に適用でき、真空断熱材３１が薄いことから、スペース確保の難しい履物、履物の中敷きであっても問題なく使用することができる。
【００７１】
（実施の形態２）
図５は本発明の実施の形態２における靴に適用した真空断熱材の平面図（上面図）である。靴の仕様は実施の形態１と同様であり、説明は省略する。
【００７２】
図５に示す実施の形態２の真空断熱材３１の構成は、実施の形態１と似ており、つま先から踵方向に屈曲部３５として設けた溝状の凹部が幅方向の両端付近にのみ設けられている点でのみ相違する。両端付近とは、靴底をつま先から踵方向に３分割した場合において両端の１／３の場所を示す。
【００７３】
実施の形態２の真空断熱材３１は、実施の形態１と同様の方法で成形している。
【００７４】
加重が履物の幅方向の中心の１／３程度に主にかかり両端部分と加重差が発生する。よって、湾曲が特に両端近辺に発生する。そこで靴底部の湾曲に真空断熱材３１を追従させるため、履物の幅方向の両端近辺につま先から踵方向に溝を設けた。これにより、更に外被材にかかる負荷が軽減され、真空断熱材３１の断熱性能劣化が低減できるので、長期間において保温性を維持した履物を提供できる。
【００７５】
なお、本実施の形態ではつま先から踵方向の凹部を２本設けているが、この本数に限るものではない。
【００７６】
（実施の形態３）
図６は本発明の実施の形態３における靴に適用した真空断熱材の平面図（上面図）である。靴の仕様は実施の形態１と同様であり、説明は省略する。
【００７７】
図６に示す実施の形態３の真空断熱材３１の構成は、実施の形態２と似ており、真空断熱材３１の幅方向に設けていた屈曲部３５である溝状の凹部が芯材を有しない目地部３６で形成されている点でのみ相違する。目地部３６は、芯材を有していないので、外被材同士が接触している。
【００７８】
実施の形態３の真空断熱材３１は、実施の形態１と同様の方法で成形している。
【００７９】
靴底部は、加重や歩行により幅方向だけでなく長さ方向にも湾曲が発生する。幅方向の湾曲とは、つま先から踵方向に折れ目が発生する方向である。また、歩行により長さ方向に屈曲が発生する。長さ方向の湾曲や屈曲とは、幅方向に折れ目が発生する方向のことである。これに追従するように真空断熱材３１も湾曲や屈曲が発生する。
【００８０】
このため、外被材が３次元形状に折れ曲がるので負荷が１点に集中し外被材が劣化し易くなる。そこで、真空断熱材３１の幅方向に芯材を有せず形成した目地部３６を設けている。
【００８１】
これにより、芯材のない箇所で屈曲することにより、外被材にかかる負荷が軽減され、真空断熱材３１の断熱性能劣化が低減できるので、長期間において保温性を維持した履物を提供できる。
【００８２】
また、熱溶着層同士が溶着されているので目地部３６は溶着されており、各芯材が独立空間に形成されているので、屈曲によって目地部３６に貫通孔が発生しても真空断熱材３１全体が破袋することがなく、断熱性能の劣化が低減できる。
【００８３】
（実施の形態４）
図７は本発明の実施の形態４における靴に適用した真空断熱材の平面図（上面図）である。靴の仕様は実施の形態１と同様であり、説明は省略する。
【００８４】
図７に示す実施の形態４の真空断熱材３１の構成は、実施の形態１と似ており、真空断熱材３１のつま先から踵方向に設けていた屈曲部３５である溝状の凹部が芯材を有しない目地部３６で形成されている点でのみ相違する。目地部３６とは、芯材を有していないので、外被材同士が接触している。
【００８５】
実施の形態４の真空断熱材３１は、実施の形態１と同様の方法で成形している。
【００８６】
靴底部は、加重や歩行により幅方向だけでなく長さ方向にも湾曲が発生する。また、歩行により長さ方向に屈曲が発生する。これに追従するように真空断熱材３１も湾曲や屈曲が発生する。このため、外被材が３次元形状に折れ曲がるので負荷が１点に集中し、外被材が劣化し易くなる。また、湾曲は特に幅方向に発生する。
【００８７】
そのため、湾曲が発生し易い履物のつま先から踵方向に芯材を有しない目地部３６を設けた。これにより、外被材にかかる負荷が芯材のない箇所で集中することにより、外被材の劣化が軽減され、真空断熱材３１の断熱性能劣化が低減できるので、長期間において保温性を維持した履物を提供できる。
【００８８】
また、熱溶着層同士が溶着されているので目地部３６も溶着されており、各芯材が独立空間に形成されているので、屈曲によって目地部３６に貫通孔が発生しても真空断熱材３１全体が破袋することがなく、断熱性能の劣化が低減できる。
【００８９】
（実施の形態５）
図８は本発明の実施の形態５における靴に適用した真空断熱材の平面図（上面図）である。靴の仕様は実施の形態１と同様であり、説明は省略する。
【００９０】
図８に示す実施の形態５の真空断熱材３１の構成は、実施の形態４と似ており、真空断熱材３１のつま先から踵方向に設けていた目地部３６が幅方向の両端付近にのみ形成されている点でのみ相違する。目地部３６とは、芯材を有していないので、外被材同士が接触している。
【００９１】
実施の形態５の真空断熱材３１は、実施の形態１と同様の方法で成形している。
【００９２】
底部の湾曲が発生し易い箇所である履物の幅方向の両端近辺につま先から踵方向に溝を設けた。これにより、外被材にかかる負荷が芯材のない箇所で更に集中することにより、外被材の劣化が軽減され、真空断熱材３１の断熱性能劣化が低減できるので、長期間において保温性を維持した履物を提供できる。また、靴底部の中心部分に目地部３６がなく有効断熱部があるので、保温性を維持できる。
【００９３】
（実施の形態６）
図９は本発明の実施の形態６における靴に適用した真空断熱材の断面図である。靴の仕様は実施の形態１と同様であり、説明は省略する。
【００９４】
図９に示す実施の形態６の真空断熱材３１の構成は、略足型形状にカットされたグラスウール成形体からなる厚さ４ｍｍの芯材の対向する２つの伝熱面を、それぞれ２枚のガスバリア性のラミネートフィルム（外被材）で覆い、ラミネートフィルム（外被材）の内部を減圧し、２枚のラミネートフィルム（外被材）の間に芯材がある略足型形状の芯材部３２の周囲の２枚のラミネートフィルム（外被材）の間に芯材がない非芯材部３４の大気圧で互いに密着可能な２枚のラミネートフィルム（外被材）同士を熱溶着したものであり、非芯材部３４の殆ど全てに、２枚のラミネートフィルム（外被材）同士を熱溶着した熱溶着部３３が設けられている。熱溶着部３３は、芯材部３２の周囲に沿うように形成しているため、断熱機能を持たない非芯材部３４をより小さくすることができる。また、芯材は履物の幅方向の両端の厚みを中央部より薄く形成してある。
【００９５】
実施の形態６の真空断熱材３１は、実施の形態１と同様の方法で成形している。
【００９６】
靴底部の湾曲が発生し易い箇所である履物の幅方向の両端近辺の厚みを薄く形成した。これにより、厚みが薄いことで湾曲により外被材にかかる負荷が軽減され、外被材の劣化が軽減される。よって真空断熱材３１の断熱性能劣化が低減できるので、長期間において保温性を維持した履物を提供できる。なお、実施の形態１から６のように屈曲部３５である凹部や目地部３６を設けてもよい。そうすることにより、さらに外被材の劣化が軽減される。
【００９７】
（実施の形態７）
図１０は本発明の実施の形態７における靴の中敷の側面図である。靴の仕様は実施の形態１と同様であり、説明は省略する。
【００９８】
図１０に示す実施の形態７の真空断熱材３１の構成は、略足型形状にカットされたグラスウール成形体からなる厚さ４ｍｍの芯材の対向する２つの伝熱面を、それぞれ２枚のガスバリア性のラミネートフィルム（外被材）で覆い、ラミネートフィルム（外被材）の内部を減圧し、２枚のラミネートフィルム（外被材）の間に芯材がある略足型形状の芯材部３２の周囲の２枚のラミネートフィルム（外被材）の間に芯材がない非芯材部３４の大気圧で互いに密着可能な２枚のラミネートフィルム（外被材）同士を熱溶着したものであり、非芯材部３４の殆ど全てに、２枚のラミネートフィルム（外被材）同士を熱溶着した熱溶着部３３が設けられている。熱溶着部３３は、芯材部３２の周囲に沿うように形成しているため、断熱機能を持たない非芯材部３４をより小さくすることができる。
【００９９】
また、２枚のラミネートフィルム（外被材）の間に芯材がある略足型形状の芯材部３２の足裏側面において、足指の付け根付近に相当する部位に屈曲部３５として足指に略垂直な方向（足指の回動軸に略平行な方向）の芯材の一方の端（縁）から他方の端（縁）までの溝状の凹部を１０本設けている。
【０１００】
また、歩行時の靴底部の幅方向の屈曲に追従しないように、真空断熱材３１の下面側（靴底側）に平板である樹脂板３７を設置した。平板とは、体重や歩行による加重により屈曲が生じないものであり、例えば金属系の板、樹脂系、ゴム系の板が挙げられる。平板が靴底と一体になっていても構わない。
【０１０１】
実施の形態７の真空断熱材３１は、実施の形態１と同様の方法で成形している。
【０１０２】
靴底部は、加重や歩行により幅方向だけでなく長さ方向にも湾曲が発生する。また、歩行により長さ方向に屈曲が発生する。これに追従するように真空断熱材３１も湾曲や屈曲が発生する。このため、外被材が３次元形状に折れ曲がるので負荷が１点に集中し、外被材が劣化し易くなる。
【０１０３】
そのため、真空断熱材３１の下面に平板（樹脂板３７）を設置した。これにより、靴底部に追従して真空断熱材３１が湾曲するのを低減でき、外被材の劣化が軽減される。よって、真空断熱材３１の断熱性能劣化が低減できるので、長期間において保温性を維持した履物を提供できる。
【０１０４】
なお、本実施の形態では溝状の凹部を１０本設けているが、実施の形態１から６のように屈曲部３５である凹部や目地部３６を設けてもよい。そうすることにより、さらに外被材の劣化が軽減される。
【０１０５】
（実施の形態８）
図１１は本発明の実施の形態８における靴の中敷きの概略図である。靴の仕様は実施の形態１と同様であり、説明は省略する。
【０１０６】
図１１に示す実施の形態８の中敷きは、靴底部の幅方向の中央に真空断熱材３１が配設してあり、真空断熱材３１の幅方向の両端部に中敷部材３８を配設してある。なお、本実施の形態において真空断熱材３１には実施の形態１〜７のように溝や目地部３６を形成していないが、形成しても構わない。
【０１０７】
また、中敷き部材３８とは、一般的に中敷きに用いられる部材であり、生地付きエラストマー、低反発ウレタン、シリコン系、ゴム系等である。特に断熱性能の高い低反発ウレタンだと保温効果が高い履物を提供できる。
【０１０８】
実施の形態８の真空断熱材３１は、実施の形態１と同様の方法で成形している。
【０１０９】
靴底部の湾曲が発生し易い箇所である履物の幅方向の両端近辺に真空断熱材３１を配置せず、中敷部材３８を配置した。これにより、真空断熱材３１の外被材にかかる湾曲による負荷が軽減され、真空断熱材３１の断熱性能劣化が低減できるので、長期間において保温性を維持した履物を提供できる。また、足裏の中心部分に真空断熱材３１を配置しているので、保温性の高い履物を提供できる。
【０１１０】
（実施の形態９）
図１２は本発明の実施の形態９における靴の中敷の断面図である。
【０１１１】
図１２において、靴の中敷５１は、真空断熱材３１の表面に生地付きエラストマー５２を、裏面にプラスチックフィルム５３を貼り合わせて構成している。
【０１１２】
一方、実施の形態９の真空断熱材３１は、実施の形態１と同様の方法で成形したものを適用している。
【０１１３】
以上のような構成により、靴の中敷５１は、真空断熱材３１の優れた断熱性能により、従来の靴の中敷きと変わらない厚さでありながら、高い保温性能を有している。このように、保温性能が高くても靴の中敷きが薄く、従来中敷きと寸法や外観が大幅に変わることがなく、かつ靴の形状や靴の種類等に左右されることなく使用することができる。更に、真空断熱材３１に表装材を貼り付け、履き心地を高めた靴の中敷きとしているため、気候や気温に応じて装着と取り外しが任意に選択できる。
【０１１４】
更に、屈曲性と屈曲耐久性に優れていることから、履き心地や経済性にも優れた中敷きであり、幅広い用途が期待できる。
【０１１５】
なお、真空断熱材３１の芯材部３２厚みに関しては、厚みを厚くすることで、より保温性能の高い靴の中敷きが提供でき、より厳しい寒冷地での適用も期待できる。しかし、厚すぎる場合は歩行時に違和感を覚えるため、１０ｍｍ以下が望ましく、更には５ｍｍ以下がより望ましい。逆に、薄すぎる場合は、断熱性能が不足したり、断熱性能の経年特性が低下するため、１ｍｍ以上が望ましい。
【０１１６】
なお、本実施の形態では実施の形態１における中敷を示したが、実施の形態２から８における真空断熱材３１を用いた中敷でも構わない。
【実施例】
【０１１７】
以下、靴、及び靴の中敷きとして適用できる真空断熱材の屈曲部仕様と、屈曲耐久性、及び装着時保温特性との関係について実施例と比較例を挙げて説明する。
【０１１８】
なお、真空断熱材は、真空断熱材の真空封止方法、及び構成材料は、基本的に、実施の形態１と同様の方法で実施した。その後、各実施の形態の靴の中敷きを成形し各種評価を行った。
【０１１９】
評価は、防寒用ブーツに真空断熱材を適用した中敷きを装着し、被験者５人で実装試験を実施する方法で行った。このうち、装着時保温特性試験は、−５℃環境化でブーツ中敷き表面温度を測定し、基準値をクリアするものを合格とした。履き心地試験は、官能試験とし、被験者のうち８人が問題ないと判断したものを合格とした。屈曲耐久性は１ヶ月間の実装試験とし、１ヶ月後、中敷きの熱伝導率の劣化が１０％以内のものを合格とした。
【０１２０】
なお、実施例と比較例の屈曲部仕様と評価結果の関係を（表１）に示す。
【０１２１】
【表１】
2008228864.tif 000003
【０１２２】
実施例１から実施例８に示すように、実施の形態１から８に示した真空断熱材は、いずれも、装着時保温特性、履き心地、及び屈曲耐久性の全てが合格という結果になった。また、特に実施例４、５、７、８における仕様が耐久試験後の熱伝導率の劣化が小さかった。また、特に実施例１、２、６において保温性が優れていた。
【０１２３】
一方、比較例１は、溝を幅方向にのみ設けたものであるが、耐久性がクリアできなかった。
【０１２４】
以上の結果より、縦横に屈曲部である凹部や目地部を設ける仕様が、屈曲耐久性に優れた仕様であることが判る。また、靴底の中心にのみ真空断熱材を配置する仕様も屈曲耐久性に優れた仕様であることが判る。
【産業上の利用可能性】
【０１２５】
本発明にかかる真空断熱材、及び真空断熱材を適用した履物と履物の中敷きは、優れた断熱性能を有する真空断熱材の適用により体熱の保温や冷気の遮断が効果的に行われると共に、真空断熱材は薄く形成しても断熱効果が高いので、本発明の実施の形態に示した靴に限らず、スリッパなど通常断熱性を有しない履物にも適用することもでき、これにより防寒性を確保し、快適性を向上することができる。
【図面の簡単な説明】
【０１２６】
【図１】本発明の実施の形態１における靴の側面図
【図２】本発明の実施の形態１における靴の断面図
【図３】本発明の実施の形態１における靴に適用した真空断熱材の平面図
【図４】本発明の実施の形態１における靴に適用した真空断熱材の側面図
【図５】本発明の実施の形態２における靴に適用した真空断熱材の平面図
【図６】本発明の実施の形態３における靴に適用した真空断熱材の平面図
【図７】本発明の実施の形態４における靴に適用した真空断熱材の平面図
【図８】本発明の実施の形態５における靴に適用した真空断熱材の平面図
【図９】本発明の実施の形態６における靴に適用した真空断熱材の断面図
【図１０】本発明の実施の形態７における靴の中敷きの側面図
【図１１】本発明の実施の形態８における靴の中敷きの平面図
【図１２】本発明の実施の形態９における靴の中敷きの断面図
【図１３】従来の靴に適用した真空断熱材の平面図
【符号の説明】
【０１２７】
１１  靴
３１  真空断熱材
３２  芯材部
３３  熱溶着部
３４  非芯材部
３５  屈曲部（凹部）
３６  目地部
３７  樹脂板（平板）
３８  中敷き部材
【図１】
2008228864.tif 000004
【図２】
2008228864.tif 000005
【図３】
2008228864.tif 000006
【図４】
2008228864.tif 000007
【図５】
2008228864.tif 000008
【図６】
2008228864.tif 000009
【図７】
2008228864.tif 000010
【図８】
2008228864.tif 000011
【図９】
2008228864.tif 000012
【図１０】
2008228864.tif 000013
【図１１】
2008228864.tif 000014
【図１２】
2008228864.tif 000015
【図１３】
2008228864.tif 000016